(57)【要約】【課題】球技用グローブにおいて、特定の出来事を検出し告知することにより、試合に対する娯楽価値を提供し、試合におけるより若い選手の興味を維持する。【解決手段】球技用グローブは、グローブで捕球されるボールの接触等の衝撃事象を検知するための衝撃検知及び告知回路を具備する。衝撃を検知すると、告知回路は、グローブのウェッブ部に設けられた一連の照明を発光させること等の可視光信号を発信する。関連する使用法がやはり提供される。【選択図】図３
2007236931.tif 000002
【特許請求の範囲】
【請求項１】
光を発する球技用グローブであって
着用者の手を入れるように形成されたグローブ部と、
前記グローブ部への衝撃を検出するように作動可能であって且つ前記グローブ部に張り付けられた衝撃検出回路と、
前記衝撃の検出の可視表示を提供するように作動可能である前記衝撃検出回路に連絡する発光回路と、
を具備することを特徴とする球技用グローブ。
【請求項２】
前記グローブは、
前記着用者の手のたなごころ側に適合するように形成された親指部と指部とを具備する、正面部と、
前記着用者の手の裏側に適合するように形成された親指部と指部とを具備する背面部であって、その間で親指入れと指入れとを区画するように前記正面部に取り付けられた前記背面部と、
前記親指入れと前記指入れとの間に張り付けられたウエッブ部と、を具備することを特徴とする請求項１に記載の球技用グローブ。
【請求項３】
前記発光回路が、前記ウエッブ部に張り付けられた少なくとも１つの発光ダイオードを具備することを特徴とする請求項２に記載の球技用グローブ。
【請求項４】
前記ウエッブ部が、前記ウエッブ部の周囲に沿って配置された半透明レンズを具備しており、前記少なくとも１つの発光ダイオードが前記半透明レンズに張り付けられることを特徴とする請求項２に記載の球技用グローブ。
【請求項５】
前記半透明レンズが、フレキシブルな管を具備しており、前記発光ダイオードから放射する光が前記ウエッブ部の正面と背面の両面から可視であるように、前記少なくとも１つの発光ダイオードが前記管内に張り付けられていることを特徴とする請求４に記載の球技用グローブ。
【請求項６】
前記衝撃検出回路が、前記グローブの前記正面部と前記背面部との間に張り付けられることを特徴とする請求項２に記載の球技用グローブ。
【請求項７】
前記衝撃検出回路が、前記着用者のたなごころに相当する前記グローブの場所に設置されることを特徴とする請求項６に記載の球技用グローブ。
【請求項８】
前記発光回路が、前もって決められた工程で作動するように形成された複数の発光ダイオードを具備することを特徴とする請求項１に記載の球技用グローブ。
【請求項９】
前記発光ダイオードは、前記衝撃後前もって決められた時間の間、前もって決められた工程で前記発光ダイオードを継続的に作動させるように形成されることを特徴とする請求項８に記載の球技用グローブ。
【請求項１０】
衝撃告知ができる球技用グローブであって、
着用者の手を入れるため形成されたグローブ部と、
前記グローブ部に衝撃を告知するように作動可能な前記グローブ部に張り付けられた回路と、
を具備することを特徴とする球技用グローブ。
【請求項１１】
前記回路は、
前記グローブ部の加速度を検出するように作動可能な衝撃検出回路と、
前記加速度の検出を告知する、着用者が識別できる可視信号を提供するように作動可能な前記衝撃検出回路に連絡する告知回路と、
を具備することを特徴とする請求項１０に記載の球技用グローブ。
【請求項１２】
前記可視信号が発光信号を具備することを特徴とする請求項１１に記載の球技用グローブ。
【請求項１３】
光を発する球技用グローブであって、
着用者の手を入れるように形成されたグローブ部であって、正面部と背面部とウエッブ部を具備する前記グローブにおいて、前記ウエッブ部が半透明の部材を具備するグローブ部と、
前記グローブ部への衝撃を検出するように作動可能であって且つ前記グローブ部に張り付けられた衝撃検出回路と、
前記衝撃検出回路に連絡していて且つ前記衝撃の検出の可視表示を提供するように作動可能な発光回路であって、前記半透明の部材に張り付けられた複数の発光ダイオードを具備する発光回路と、を具備することを特徴とする球技用グローブ。
【請求項１４】
前記発光ダイオードから発散する光が前記グローブの正面と裏の両方から目で見えるように、前記半透明の部材が形成されることを特徴とする請求項１３に記載の球技用グローブ。
【請求項１５】
前記発光回路は、前もって決められた工程で、前記発光ダイオードを作動させるように形成されることを特徴とする請求項１３に記載の球技用グローブ。
【請求項１６】
前記衝撃検出回路が加速度センサーを具備することを特徴とする請求項１３に記載の球技用グローブ。
【請求項１７】
前記加速センサーは、前もって決められた閾値を超える加速度を検出するように形成されることを特徴とする請求項１６に記載の球技用グローブ。
【請求項１８】
球技用グローブへの衝撃を告知する方法であって、
告知回路を有する球技用グローブを提供する手順と、
前記球技用グローブへの衝撃を検出する手順と、
前記衝撃の検出に感応し前記告知回路を作動する手順と、を具備することを特徴とする方法。
【請求項１９】
前記告知回路が発光回路を具備することを特徴とする請求項１８に記載の方法。
【請求項２０】
前記発光回路は、継続的に作動するように形成された複数の発光ダイオードを具備することを特徴とする請求項１８に記載の方法。
【請求項２１】
前記衝撃を検出する手順が、前もって決められた水準を超える加速度を検知する段階を具備することを特徴とする請求項１８に記載の方法。
【請求項２２】
衝撃検出及び告知機能を有する球技用グローブであって、
着用者の手を入れるように形成されたグローブ部と、
前記グローブへの衝撃検出のための手段と、
前記グローブへの前記衝撃を可視に告知する検知のための手段と、を具備することを特徴とする球技用グローブ。
【請求項２３】
前記検出のための手段は、前もって決められた閾値を超える加速度を検出するように作動可能な加速度センサーを具備することを特徴とする請求項２２に記載の球技用グローブ。
【請求項２４】
前記告知のための手段が、光を発するための手段を具備することを特徴とする請求項２２に記載の球技用グローブ。
【請求項２５】
光を発する球技用グローブであって
着用者の手を入れるように形成されたグローブ部と、
前記グローブへの衝撃を検出するように作動可能な前記グローブ部に張り付けられた加速度感知部品と、
前記衝撃の検出の可視表示を提供するように作動可能な前記加速度検知部品に連絡する発光部品と、
を具備することを特徴とする球技用グローブ。
【請求項２６】
前記加速度検知部品は、瞬間スイッチであることを特徴とする請求項２５に記載の球技用グローブ。
【請求項２７】
前記瞬間スイッチは、前記発光部品への電気回路を完成するように作動可能なリードスイッチであることを特徴とする請求項２６に記載の球技用グローブ。
【請求項２８】
前記発光部品が発光ダイオードを具備することを特徴とする請求項２５に記載の球技用グローブ。
【発明の詳細な説明】
【技術分野】
【０００１】
本発明は、スポーツ用品に係り、より特別には、衝撃検出と告知能力を有する野球とソフトボール用グローブに関する。
【背景技術】
【０００２】
野球やソフトボールのスポーツではそれぞれ、ボールの捕球を容易にするためとグローブ着用者の手を保護するためにデザインされた特別に形成したグローブの使用が必要である。これらの球技（ボール）用グローブは、選手達（プレイヤーズ）自身を怪我させず、非常に早い速度で動くボールを選手達が止めて捕球することを可能にするので、これら球技（ボール）用グローブは、このスポーツにとって欠かせない部分である。プロフェッショナル（プロ）やリトルリーグ或いは娯楽の寄せ集め試合でも、実際、野球或いはソフトボールゲームは何れも、球技（ボール）用グローブを使う選手達がかかわる。
【０００３】
より若い選手達に適したリーグや娯楽のリーグや寄せ集め試合では、選手達は、しばしば、プロの選手達が使用する用具の変形（バリエーション）を使う。例えば、より若い選手達は、勿論、正式なプロフェッショナル用用具に比べてサイズがより小さい球技（ボール）用グローブを使う。又、より若い選手達は、しばしば、ネオン色の球技（ボール）用グローブのようなハデな色の用具を好む。これらの変形（バリエーション）には、単に美観的なものがあり、更にはより若い選手達の流行感覚に訴えるものがある。蛍光性の或いはハデな色のグローブ等その他の変形（バリエーション）は、より実用向きで、特別な選手達を見分けることに役立ち、或いは、選手が容易に彼等の用具の場所を見つけるのに役立つ。それ故、気まぐれでなく、これらの色々な形態は、又、その試合（ゲーム）の特定の観点でゲームを助けることに役立ち、試合の興味を維持し或いは興味を引き付ける。
【０００４】
入手できる球技（ボール）用グローブの可能な変形（バリエーション）の殆どは、おとなしく（スタテイック）互いに影響しない変形（バリエーション）である。例えば、明るい色のグローブは、試合において発生する出来事に基づいて変更又は変化しないかまたは選手達の行動又は動作に反応しない。試合中の動作や結果に反応することのできる球技（ボール）用グローブは、試合において選手達の興味を増し、試合の娯楽的価値を追加する。
【発明の開示】
【発明が解決しようとする課題】
【０００５】
それ故、試合に対する別の娯楽価値を提供し、試合でより若い選手の興味を維持するために、特定の出来事が試合で生じた際に、その特定の出来事を検出できそして告知できる、球技（ボール）用グローブに関する技術の必要性が存在する事が判る。
【課題を解決するための手段】
【０００６】
本発明は、衝撃検出と告知能力を持つ野球及びソフトボール用グローブを対象とする。捕球したボールの衝撃を検出するため衝撃検出センサーをグローブに張り付ける。衝撃事象を検出すると、衝撃が生じたことを示すため可視信号が発信（トリガ）される。例えば、球技（ボール）用グローブのウエッブ（クモの巣状の箇所）に設けられた一連の発光ダイオードが、ボールが捕球された事の発光体表示を提供するように継続的に作動させられても良い。
【０００７】
本発明の最良の実施の形態で、光を発する球技（ボール）用グローブは、親指部と、指部と、親指と指部の間に広がるウエッブを持つ着用者の手に合うように形成されたグローブ部を具備する。フレキシブルな管（チューブ）として形成された半透明レンズが、ウエッブ部に張り付けられるので、レンズはグローブの正面と背面の両方から目で見える。飛切り明るく着色された複数の発光ダイオードを具備する告知回路は、発光ダイオードがウエッブ部の半透明レンズに設置される状態で、グローブの中に張り付けられる。加速度センサーを具備する衝撃検出回路は、グローブで捕球されたボールの衝撃を検出するためにグローブのたなごころ（扁平）部内に張り付けられる。
【０００８】
ボールがグローブのたなごころ部に当たる等の、グローブに対する衝撃を検出すると、衝撃検出回路は、告知回路へ送信されるトリガ（作動）信号を発生する。トリガ信号を受信すると、告知回路は、前もって決められた時間の間に、予定された（前もって決められた）様式（パターン）で発光ダイオードを継続的に作動させるので、衝撃事象を告知する。半透明レンズの中で作動した発光ダイオードは、グローブの正面と背面の両方から可視である光の様式（パターン）を放射する。それ故、グローブでボールを捕球する衝撃は、グローブのウエッブ（クモの巣状の箇所）において光の表示を作動（トリガ）して、選手や観客にボールがグローブに当ったあかしを提供する。
【０００９】
それに付属する利点や新規の特徴と共に、本発明の別の形態は、以下の記述で部分的に述べられており、更に、部分的に、以下の検討で当業者に明白になるか或いは本発明の実施から学ばれても良い。本発明の目的や利点は、添付の請求項で特に記載される手段や組合せによって実現されても良い。
【００１０】
本発明は、本発明の一部を成す添付図面を参照して、以下に本発明の詳細な説明で詳しく述べる。
【発明を実施するための最良の形態】
【００１１】
本発明の最良の（又は、典型的）実施の形態に従って、図１から図６に、衝撃検出と可視な告知能力を有する光を発する（発光式）球技（ボール）用グローブを描く。本発明は、この最良の実施の形態を参照して、本明細書で以下に詳細に記述するが、本発明がこの実施の形態に示された特定の形態に限定されないことを理解すべきである。むしろ、多様な形態が本発明に従い履行されても良いことを当業者は、認識する。最良の実施の形態が球技（ボール）用グローブを対象とするが、本発明が、野球用グローブ、野手用グローブ、捕手用ミット、一塁手用ミットやソフトボール用グローブ等の球技（ボール）用グローブの様々な実施の形態に適合しうることは明白である。本明細書で使われたごとく、“グローブ”或いは“球技（ボール）用グローブ”に対する全ての説明は、球技（ボール）用グローブのこれらの形態及び別の形態を含むと解釈されなければならない。
【００１２】
［最良の実施の形態］
先ず図１から図６を見ると、本発明の最良の実施の形態に従う光を発する球技（ボール）用グローブを、通常、番号１０で示す。図１に示された如く、グローブ１０は、着用者の手の正面或いはたなごころ（手のひら／扁平部）をカバーするように形成された正面部１２と、着用者の手の背面或いはうしろをカバーするように形成された背面部１４とボールを受けるように形成されたウエッブ部１６とを具備する。
【００１３】
［グローブ］
更に図１を見ると、正面部１２は、着用者の夫々人差し指、中指、くすり指（指輪をはめる指）と小指に相当する４本の指部１８a、１８b、１８c、１８dと、着用者の親指に相当する親指部２０とを具備する。たなごころ部２２は、指部の下端部と親指部の下端部の間に広がり、通常、着用者の手に適合しそして着用者のたなごころをカバーするように形成される。以下で更に詳しく検討する通り、親指部２０と人差し指部１８a間の移り目は、ウエッブ部１６がそこに設けられるU字形面（エリア）２４を形成する。次に図２に転じると、４本の指部２６a、２６b、２６c、２６d及び親指部２８が、正面部１２の対応する指と親指に整列する状態で、背面部１４は通常、正面部１２に対応する。
【００１４】
図１と図２を見ると、着用者の手にグローブを入れるためグローブの下方にある開口部３０を除き、正面部１２は、各々の指部と親指部の外側周囲の周りで、その２つの間のU字形面（エリア）２４に沿って背面部１４に張付けられる。従って、正面部１２は、着用者のたなごころ部（扁平部）と、指と親指を包みそして指に対する保護を形成する。このように複数の部分が連結されることにより、指入れ３２a、３２b、３２c、３２dと親指入れ３４は、着用者の複数の指と親指を夫々受け入れるために形成される。グローブに対する追加のクッションと耐久性を形成するためグローブのたなごころ部と小指部とウエッブ部の中に、別の紐（レース）を編みこむか或いは結んだ状態で、隣接した指入れを連結するために紐（レース）３６を使う。
【００１５】
正面部１２と背面部１４は、任意の丈夫でフレキシブルな材料で作られる。正面部１２と背面部１４を、衝撃吸収する性質を持つ比較的厚い材料で作ることが好ましい。正面部１２と背面部１４を、皮革材で作ることが最も好ましい。にかわつけや止め金止め或いはリベット止め等の技術的に既知な別の方法が、本発明の範囲から逸脱せずに使用されても良いが、正面部１２と背面部１４は、縫合を使ってそれらの周囲において張付けられる。紐（レース）３６は、厚い衝撃吸収材が好ましく、皮革ひもが最も好ましい。正面部１２と背面部１４と紐（レース）３６のための別の材料及び正面部１２を背面部１４に粘着する別の方法は、当業者には明白であり、本発明の範囲内にある。その上、グローブについての別の形態も当業者には明白である。例えば、グローブ１０は着用者の夫々の指用に個別の指入れを持つ必要は無く、指受入れ部は、着用者の指の１本以上或いは全てを受入れるため単一の区画或いは指入れとして形成されても良い。この形態は、一塁手用ミット或いは捕手用ミットで一般的である。この様なミット形態は何れも本発明の範囲内である。
【００１６】
ここで図２を見ると、正面部１２に実質的に同様な形状の内部裏地（インナーライナー）３８は、正面部１２と内部裏地３８の間にあるクッション（パッド）材つきで正面部１２の裏面に取付けられる。それ故、グローブに入る着用者の手のたなごころ（扁平部）側は、手の後ろ側が背面部１４に接触する状態で、内部裏地（インナーライナー）３８に接触する。正面部１２と内部裏地（インナーライナー）３８のこの形態は、着用者の指の更なる保護の為、海綿状ゴム（フォームラバー）又は合成ゴム（ネオプレン）又は別の海綿状の弾性（エラストマー）材等のクッション（パッド）材或いは衝撃吸収材を内部裏地（インナーライナー）３８と正面部１２との間に設置することを可能にする。
【００１７】
内部裏地（インナーライナー）３８は、丈夫でフレキシブルな材料で作ることが好ましく、皮革で作ることが最も好ましい。にかわつけ又はリベット止め等の技術的に既知な任意の別の方法もまた使っても良いが、内部裏地（インナーライナー）３８がその周囲において正面部１２に縫い付けることが好ましい。勿論、別の複数の形態や変形形態は当業者には明白である。例えば、正面部１２と内部裏地（インナーライナー）３８の間のクッション（パッド）材は、別の皮革の層でもよい。或いは、内部裏地（インナーライナー）３８は、ナイロン等の軽い材料で作られても良い。同様に、本発明から逸脱せず、別の裏地（ライナー）材或いはクッション（パッド）材をグローブの他の箇所に使用しても良い。例えば、うしろの裏地は、背面部１４の裏張りとして使用されても良く、或いは、クッション（パッド）材を、グローブの様々な所に張付けても良い。
【００１８】
更に図２を見ると、調節用皮ひも（ストラップ）４０は、開口部３０を横切って伸び、長穴（スロット）を経由し、開口部３０に沿ってそれ自身に巻き戻る。調節用皮ひも（ストラップ）４０は、フックと環型の締め金具材を具備して、皮ひも（ストラップ）が所定位置に張付くことを可能にする。グローブが動いたり落下しない様、着用者は、彼等の手首にグローブを固定する為に引き締め調節用皮ひも４０を使うことが出来る。勿論、技術的に既知な別のタイプの調節機構及び固定手段は、当業者には明白であり、本発明から逸脱せず使用されても良い。
【００１９】
［ウエッブ］
図１と図２を見ると、ウエッブ部１６は、親指入れ３４と人さし指入れ３２a間のU字形接合点２４でグローブ１０に取り付けられて、親指入れと人さし指入れの間に区画される場所を満たす。ウエッブ１６は、大きなU字形であって且つ外側の周りで人さし指入れ３２aと親指入れ３４の背面部に、その２つの間のたなごころ部２２のU字形面２４に沿って張り付けられた、外側部分４４を具備する。U字形の半透明レンズ４６は、内側部分４８が半透明レンズ４６の内側の周囲に張り付けられた状態で、それ自体の外側の周囲で外側部分４４の内側周囲に張り付けられる。それ故、ウエッブ１６は、グローブ１０でボールを受けて捕球するためのポケットを形成しながら、親指入れ３４と人さし指入れ３２aの間に区画される開口部全体をカバーする。上側部５０は、ウエッブ１６のために上部の支えを形成しながら、親指入れ３４と人さし指入れ３２aの間にのびる紐を巻きつけ、外側部分４４と内側部分４８に張付けられる。
【００２０】
図２で最も良く分かる通り、外側部分４４は、人さし指入れ３２aの背面部と親指入れ３４と背面部１４の上側たなごころ面２２に実質的に重なる。外側部分４４は、縫合とにかわ接着により所定の位置に張り付けられており、更に紐（レース）５２により外側部分４４を背面部１４に固定する。外側部分４４は、耐久力があり丈夫な材料、最も好ましくは皮革、で作られる。半透明レンズ４６は、U字形をしたフレキシブルな材料、好ましくは、軽い光伝導性の特性を持つ材料である。最も好ましいのは、半透明レンズ４６は、レンズを隣り合せの材料に取り付けるためのチユーブ（管）の長さを囲む突起リップ（へり）を有する中空管として形成され、半透明な材料で作られる。レンズ４６は、ポリスチレン等のプラスチックにより作られることが最も好ましい。半透明レンズ４６は、その外側周囲の周りで外側部分４４の内側周囲に、好適には縫合で張り付けられる。内側部分４８は、半透明レンズ４６の内側周囲に、縫合により張り付けられる。内側部分４８は、内側部分４８の中央部を横切って伸びる織り交ぜられたひも５６を具備する編み状部５４を具備する。フレキシブルなひも５６は、捕球したボールの衝撃を吸収するように作用し、そして更にウエッブ１６の装飾の形態を提供する。
【００２１】
ウエッブ１６は、それ故、人さし指入れ３２aと親指入れ３４の間に区画されたU字形面２４を満たし、ボールの捕球と保持用ポケットを形成する。図１と図２に示されるごとく、（以下に更に詳しく記述された通り）レンズに埋められた発光装置がグローブの正面或いは背面のいずれかから観察出来る様、ウエッブ１６の中のU字形半透明レンズ４６は、グローブ１０の正面と背面から目で見える。
【００２２】
ウエッブ１６の多数の別の形態や取合せは、当業者には明白であり、本発明の範囲内にある。例えば、ウエッブ全体は、単一の材料で形成されても良い。或いは、編み模様（パターン）は、ウエッブ１６全体を横切って広がっても良い。同様に、半透明レンズに関する変形形態（バリエーション）が本発明で熟考される。例えば、レンズは、星形或いは正方形など様々な幾何学的な形であって良い。又は、レンズは、半透明材よりはむしろ透明で製造されても良い。当業者には明白であるこれらの変形形態（バリエーション）及び別の形態は、本発明の範囲内にある。
【００２３】
［衝撃センサーと可視信号］
ここで図３に転じると、図１のグローブの一部の切断部は、親指入れ３４の基部（ベース）付近の内部裏地（インナーライナー）３８と正面部１２との間に位置していて且つグローブ１０に埋め込まれた電子モジュール５８を示す。電子モジュール５８は、グローブに当たるボールの衝撃を検出するための衝撃検出回路と、グローブのウエッブ１６において半透明レンズ４６に埋め込まれた発光ダイオード６０を介して衝撃の検出を告知するための告知回路とを具備する。電子モジュールと電線が、正面部１２と内部裏地（インナーライナー）３８との間の隙間にある状態で、数組の電線６２は、電気モジュール５８に各発光ダイオード６０を取り付ける。電子モジュールと電線が、正面部１２と内部裏地３８の間のクッション（パッド）に置かれる。
【００２４】
図４Aに示す通り、電子モジュール５８は、小さく、寸法が約２５．４mm×２５．４mm×９．５mm（約１インチX１インチX３/８インチ）の長方形のモジュールで、硬質プラステイック製エポシキ樹脂において、衝撃検出回路と、告知回路と、電池（下記により詳細に記述）とを具備する内部回路基板をカプセル封じしている。６組の電線６２は、モジュール５８から伸びて、夫々の電線の先端において発光ダイオード（LED）６０で終了する。組の電線６２の長さは、約１０１mm（約４インチ）から約２０３mm（約８インチ）の範囲であるが、然し、勿論、グローブに於ける電線の所望の経路やLEDの所望の位置に依って変化しても良い。LED６０は、低電力で明るいLEDが好ましい。中国 Leng Fa Plastic社が製造する型番TD-V244SRC等の飛切り明るいLEDが最も好ましい。LEDは、可視の（目で見える）告知信号を提供するための一つの手段であるが、別の発光部品や手段を使っても良く、それらは、当業者にとって明白である。
【００２５】
図４Bを見ると、電子モジュール５８は、（ボール捕球の際生じる衝撃の様な）グローブに対する衝撃を検出するための衝撃検出回路６４と、前まって決められた（又は、予定した）様式（パターン）で連続的に光を発するLED６０に依って衝撃の検出を告知するための告知回路６６と、回路とLEDに電力を供給する電池６８とを具備する。
【００２６】
衝撃検出回路６４は、衝撃或いは振動の形で、グローブに対する加速度を検出するための加速度センサーを具備する。本明細書で使用された如く、用語“加速度（アクセレレーション）”は、正加速度と負加速度（しばしば“減速（デセレレーション）”と呼ぶ）の両者を含む。加速度センサーは、前もって決められた閾値を超える加速の原因となる振動又は衝撃を検出し、そして閾値水準（レベル）以上の衝撃が検出されたことを示す出力トリガ（発動）信号を発することの出来る任意の加速度感知部品である。多数の形式の加速度計や加速度感知部品は、従来技術において既知で、本発明の目的に使用されても良い。加速度センサーは、瞬間リード（reed）型スイッチであることが最も好ましい。
【００２７】
図４Cに示す通り、リードスイッチ７０は、取付け肢（サスペンデット  アーム）或いはリード７４aと７４bの先端に夫々張付けられた２つの電気接点７２aと７２bを具備する。接点の重量と各リードの重量と各リードの剛性と接点間の距離は、瞬間スイッチの慣性特性と加速度感応（又は応答）特性を決定する。衝撃、振動或いはスイッチの加速度は、リードを曲げさせて、２つの接点を瞬間的に接触することを可能にするので、従って回路は、トリガ信号を確実に発生する。例えば、接近した位置にある非常にフレキシブルなリードは、リードが低い水準の加速度に応じて曲がる（そして接点がそれ故瞬間的に触れる）ので、低い水準（レベル）の加速度に感応（又は応答）しやすい。逆に、低い水準（レベル）の変化が接点を触れさせるに充分にリードを曲げないので、比較的に離れて位置する非常に硬いリードは、低い水準（レベル）の加速度に感応しにくい。
【００２８】
更に、電子モジュール内のリードの向きと装置上のモジュールの配置もまた、加速度の様々な水準（レベル）と方向に応じてリードスイッチの感度に影響する。例えば、図４Cに示されたスイッチのリードを見ると、リードに対して垂直な加速度は、リードに対する側面方向或いは平面（又は、平行）方向における加速度に比べてより容易に検出される。それ故、リードスイッチ（従って、電子モジュール）の異なる向きと配置は、特定の方向におけるスイッチの検出閾値を変えるように、スイッチを調節可能にする。その加速度閾値より大きな衝撃が生じると、スイッチの接点７２aと７２bは、スイッチにある入力接続部と出力接続部（７６a、７６b）との間で回路を完成するため互いに触れる。例えば、グローブのたなごころ部（扁平部）への電子モジュールの設置は、電子モジュールと瞬間リードスイッチをボールがグローブに捕球される箇所に直接的にさらすので、それ故、比較的に小さい衝撃の検出も可能である。然し、ボールの衝撃を直接受ける場所からグローブの裏（背面）の様な離れた場所へ電子モジュールと瞬間リードスイッチを移動することは、小さい衝撃から瞬間スイッチを遮断する。その位置では、グローブへの顕著な衝撃だけが、瞬間リードスイッチに依って検出される結果に終わる。だから、グローブ上の瞬間リードスイッチの位置は、リードスイッチの感度を調節するために使用可能か或いは、スイッチが回路を完成させる閾値加速度水準を調節するために使用可能であることが分かる。
【００２９】
リードスイッチが加速度を検出するために一つの手段を提供する一方で、加速度感応部品についての別の手段と形態は、当業者には明白である。例えば、スイッチ容器の固定した場所にある２番目の接点と共に、一つの接点を支える一つのリードを具備するリードスイッチが使われても良い。瞬間スイッチの別の形態が使われても良い。例えば、２番目の接点として稼動していて且つ金属容器に囲まれていて且つバネに貼り付けられた接点を具備するセンサーが使われても良い。バネが衝撃に依ってその位置から動揺すると、バネにある接点は、金属容器にふれるので、回路を完成させる。同様に、輪（リング）或いは容器の中でぶら下がった腕（アーム）を具備する振り子形センサーが使われても良い。振り子アームへの衝撃は、それを動かす原因となって、それを入れている輪（リング）或いは容器に触れる原因となるので、従って、回路を完成させる。加速度感応部品及びセンサーのこれらの形態及び別の変形（バリエーション）或いは加速度計等の別の形式の加速度検出部品又は回路は、当業者に知られており、又、本発明の範囲内である。
【００３０】
図４Bに戻ると、丁度記述した通り、瞬間リードスイッチの接点を接触させる衝撃が発生すると、トリガ（発動）信号７８が衝撃検出回路６４から告知回路６６へ出力される。技術的に既知なように、トリガ信号７８は、加速度センサーを経由して直接的に流される電圧レベルであっても良く、或いは、一回駆動（one-shot）多振動型回路に依って起こされた調整された状態の信号であっても良い。発生したトリガ信号の多数の変形（バリエーション）は、当業者には明白で、トリガ信号が衝撃の検出を示し、告知回路に認識できる限り、本発明の範囲内である。例えば、トリガ信号の極性は、逆にされても良く、その信号は、はね返り除去回路を介して調整されても良い。これらの形態及び別の変形（バリエーション）は、当業者には明白である。
【００３１】
図４Bを依然として見ると、トリガ信号７８の検出で、告知回路６６が予定した時間間隔の予定した様式（パターン）でLED６０の作動を開始する。予定した様式（パターン）が、約１．５秒て４回直列でLEDを継続的に作動させることが好ましい。トリガ信号を検出可能な回路であって発信器を作動させて所望の作動様式（パターン）を実現するために必要な駆動信号を発生可能である回路の種々の形態が使われても良い。告知回路は、用途特定集積回路（ASIC）であることが好ましい。勿論、告知回路に関する別の形態及び変形（バリエーション）は、当業者に明白である。例えば、告知回路は、トランジスターの様な別個の部品、或いは、別個の部品と、５５５シリーズタイマー回路等の色々な集積回路との組合せから形成されても良い。これらの形態及び別の形態は、当業者に明白であり、本発明の範囲内である。同様に、特定の告知回路は、本発明から逸脱せず変更されても良い。例えば、LEDの様式（パターン）は、全てのLEDを同時に光らせるように変更されても良く、或いは、継続的な様式（パターン）以外に、LEDを光らせるように変更されても良い。本発明により、これらの形態及び別の変形（バリエーション）は予測される。
【００３２】
図４Bに示した通り、電池６８は、衝撃検出回路６４と告知回路６６とLED６０の電力供給に使用される。電池６８は、トリガー告知回路６６と発光するLED６０を数多く反復させる電力を供給出来る高出力で低い外形の電池であることが好ましい。電池６８は、リチウム二酸化電池であることが最も好ましい。
【００３３】
［作動］
今度は、図５と図６を見ると、作動（オペレーション）中、LED６０は、レンズ４６の長さに沿って対称的様式（パターン）にある半透明レンズ４６に埋め込まれる。衝撃検出回路６４により衝撃を検出すると、LED６０は、前述した様式（パターン）に従って継続的に作動する。図５に示すように、発光したLED６０は、ウエッブ部１６にある半透明レンズ４６を通してグローブの裏（又は、後）から見ることが出来る。同様に、図６に示されるように、発光したLED６０は、ウエッブ部１６にある半透明レンズ４６を通してグローブの正面からもまた見ることができる。
【００３４】
それ故、ボールの捕球に依って生じる衝撃等の検出された衝撃は、グローブのウエッブにある半透明レンズの光表示部をトリガ（作動）する。光表示部は、グローブの正面と裏の両方から可視であるので、選手達と観客の両者に対して可視である。
【００３５】
図示された形態に対する別の変形（バリエーション）は、当業者に明白で本発明の範囲内である。例えば、LEDは、記述されたものとは違った様式（パターン）で発光しても良い。或いは、半透明レンズは、異なった形であっても良く、或いは、グローブの異なる場所に設置されても良い。同様に、LEDは、半透明レンズつき又はレンズ無しで、例えばグローブの各指先に個別に設置されても良い。発光ダイオード以外の光バルブ（球体）やネオン照明等の可視な発光告知の手段が使われても良い。更に、衝撃センサーは、電気通信経由の代わりに無線通信経由で光或いは別の可視告知手段をトリガ（作動）しても良い。これらの形態及び別の変形（バリエーション）が本発明により予測され、そして、それは本発明の範囲内である。
【００３６】
図示されるように、本明細書に記述された本発明は、衝撃検出と告知を提供する球技（ボール）用グローブを提供する。本発明は、グローブによるボールの捕球等の衝撃事象を選手達（プレイヤーズ）や観客が視覚的に確認することを可能にする。勿論、別の実施の形態或いは形態は、当業者に明白であり、本発明により予測され、そして、本発明の範囲内である。
【００３７】
本明細書で使われた用語“実質的に”或いは“約（又は、おおよそ）”は、量的表示に関係した基礎的な機能の変更を生じることなく、許容可能に変更できる、任意の量的表示値を修正するように適用されても良い。例えば、ウエッブの外側部分は、人さし指入れと親指入れを実質的に重なった部分として説明されたが然し、若し変更が本発明の能力を著しく変えないならば、その形態から許容可能に変更されても良い。
【００３８】
本発明は、様々な最良の実施の形態を参照して、上記で記述され例証されたが、様々な修正形態が本発明の範囲から逸脱することなく、実施の形態に実施されることが理解されるはずである。従って、その様な限定が特許請求の範囲に含まれている場合を除き、本発明は、上記に記述され例証された最良の実施の形態に限定されるべきでない。
【図面の簡単な説明】
【００３９】
【図１】図１は、本発明の最良の実施の形態に従う球技（ボール）用グローブの正面立体図である。
【図２】図２は、図１の球技（ボール）用グローブの背面立体図である。
【図３】図３は、グローブのたなごころ部分にある電子回路モジュールとグローブのウエッブ部に設置される発光ダイオードを示す、図１の球技（ボール）用グローブの切断図である。
【図４Ａ】図４Aは、図３の球技（ボール）用グローブの回路モジュールと発光ダイオードの平面図である。
【図４Ｂ】図４Bは、図４Aのモジュールの回路のブロック概要図とそのモジュールに接続された図４Aの発光ダイオードの概要図である。
【図４Ｃ】図４Cは、図４Aのモジュールにある加速度センサーとして使われる瞬間リードスイッチの概要図である。
【図５】図５は、グローブのウエッブ部上の半透明レンズのLED（発光ダイオード）から放射する光を示す、図１のグローブのウエッブ部を詳細に示した部分背面図である。
【図６】図６は、グローブのウエッブ部上の半透明レンズのLED（発光ダイオード）から放射する光を示す、図１のグローブのウエッブ部を詳細に示した部分正面図である。
【図１】
2007236931.tif 000003
【図２】
2007236931.tif 000004
【図３】
2007236931.tif 000005
【図４Ａ】
2007236931.tif 000006
【図４Ｂ】
2007236931.tif 000007
【図４Ｃ】
2007236931.tif 000008
【図５】
2007236931.tif 000009
【図６】
2007236931.tif 000010
【外国語明細書】
2007236931000001.pdf